【事件の表示】
　特願２０１６−５２２７０号「遊技機」拒絶査定不服審判事件〔平成２８年６月１６日出願公開、特開２０１６−１０５９０８号〕について、次のとおり審決する。
【結　論】
　本件審判の請求は、成り立たない。
【理　由】
第１　手続の経緯の概要
　本願は、平成２４年７月３０日に出願した特願２０１２−１６８６２４号の一部を平成２８年３月１６日に新たな特許出願（特願２０１６−５２２７０号）としたものであって、平成２９年２月２３日付けで拒絶の理由が通知され、同年４月２６日に意見書及び手続補正書が提出され、同年５月３０日付けで最後の拒絶の理由が通知され、同年８月４日に意見書及び手続補正書が提出されたところ、同年８月２５日付けで、同年８月４日にされた手続補正が却下されるとともに拒絶査定（以下「原査定」という。）がなされ、それに対して、同年１１月２７日に拒絶査定不服審判の請求がなされると同時に手続補正がなされたものである。
　
第２　平成２９年１１月２７日にされた手続補正についての補正の却下の決定
［補正の却下の決定の結論］
　平成２９年１１月２７日にされた手続補正（以下「本件補正」という。）を却下する。
　
［理由］
　１　補正の内容
　本件補正は、特許請求の範囲の補正を含んでおり、本件補正により、平成２９年４月２６日にされた手続補正書における特許請求の範囲の請求項１の
「【請求項１】
　始動口へ入球したことを契機に当り抽選を行う当り抽選手段と、
　前記当り抽選に当選した場合に生起される当り遊技において、遊技盤の右方領域に配置された特別入賞手段の開放及び閉鎖を制御する開閉制御手段と、
　遊技機への電源供給の遮断時における遊技状態を記憶保持可能な記憶保持手段と、
　遊技機への電源供給が再開されたことに伴い、前記記憶保持手段に記憶保持されている遊技状態に復帰させる復帰手段と、
　実行情報を生成する実行情報生成手段と、
　遊技球の発射に関する報知を制御する報知制御手段と、
　画像を表示する表示手段と、を備え、
　前記実行情報には、第１実行情報と、前記第１実行情報とは異なる第２実行情報と、があり、
　前記実行情報生成手段は、前記当り遊技の生起中である場合には前記第１実行情報を生成する一方、前記復帰手段により復帰されたときが前記当り遊技の生起中である場合には前記第２実行情報を生成し、
　前記第１実行情報が生成され、前記報知が行われたときの前記表示手段の表示内容は、前記第２実行情報が生成され、前記報知が行われたときの前記表示手段の表示内容と異なる一方、
　前記第１実行情報が生成された場合の前記報知、及び、前記第２実行情報が生成された場合の前記報知の何れにおいても、遊技盤の右方領域への遊技球の発射が促されることを特徴とする遊技機。」は、
　
　審判請求時に提出された手続補正書（平成２９年１１月２７日付け）における
「【請求項１】
　始動口へ入球したことを契機に当り抽選を行う当り抽選手段と、
　前記当り抽選に当選した場合に生起される当り遊技において、遊技盤の右方領域に配置された特別入賞手段の開放及び閉鎖を制御する開閉制御手段と、
　遊技機への電源供給の遮断時における遊技状態を記憶保持可能な記憶保持手段と、
　遊技機への電源供給が再開されたことに伴い、前記記憶保持手段に記憶保持されている遊技状態に復帰させる復帰手段と、
　実行情報を生成する実行情報生成手段と、
　遊技球の発射に関する報知を制御する報知制御手段と、
　画像を表示する表示手段と、を備え、
　前記実行情報には、第１実行情報と、前記第１実行情報とは異なる第２実行情報と、があり、
　前記実行情報生成手段は、前記当り遊技の生起中である場合には前記第１実行情報を生成する一方、前記復帰手段により復帰されたときが前記当り遊技の生起中である場合には前記第２実行情報を生成し、
　前記第１実行情報が生成され、前記報知が行われた
場合
場合
　前記第１実行情報が生成された場合の前記報知、及び、前記第２実行情報が生成された場合の前記報知の何れにおいても、遊技盤の右方領域への遊技球の発射が促され
、
　
前記第１実行情報が生成された場合の前記報知と、前記第２実行情報が生成された場合の前記報知と、の報知態様は同一であり、
　
前記第２実行情報が生成された場合に前記報知が行われる前記表示手段の表示領域は、前記第１実行情報が生成された場合に前記報知が行われる前記表示手段の表示領域に比して、広い
　
　２　補正の適否
　本件補正は、補正前の請求項１に記載した発明を特定するために必要な事項である「第１実行情報が生成された場合の報知」、「第２実行情報が生成された場合の報知」に関して、
　「
前記第１実行情報が生成された場合の前記報知と、前記第２実行情報が生成された場合の前記報知と、の報知態様は同一であ
　「
前記第２実行情報が生成された場合に前記報知が行われる前記表示手段の表示領域は、前記第１実行情報が生成された場合に前記報知が行われる前記表示手段の表示領域に比して、広い
　
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書の【０１７５】、【０３２０】、特許請求の範囲又は【図７】等の記載からみて、新規事項を追加するものではないから、特許法第１７条の２第３項に規定する要件を満たす。
　
　３　独立特許要件
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　
　（１）本件補正発明
　本件補正発明は、次のとおりのものであると認める（記号Ａ〜Ｍは、分説するため審決にて付した。）。
「Ａ　始動口へ入球したことを契機に当り抽選を行う当り抽選手段と、
Ｂ　前記当り抽選に当選した場合に生起される当り遊技において、遊技盤の右方領域に配置された特別入賞手段の開放及び閉鎖を制御する開閉制御手段と、
Ｃ　遊技機への電源供給の遮断時における遊技状態を記憶保持可能な記憶保持手段と、
Ｄ　遊技機への電源供給が再開されたことに伴い、前記記憶保持手段に記憶保持されている遊技状態に復帰させる復帰手段と、
Ｅ　実行情報を生成する実行情報生成手段と、
Ｆ　遊技球の発射に関する報知を制御する報知制御手段と、
Ｇ　画像を表示する表示手段と、を備え、
Ｈ　前記実行情報には、第１実行情報と、前記第１実行情報とは異なる第２実行情報と、があり、
Ｉ　前記実行情報生成手段は、前記当り遊技の生起中である場合には前記第１実行情報を生成する一方、前記復帰手段により復帰されたときが前記当り遊技の生起中である場合には前記第２実行情報を生成し、
Ｊ　前記第１実行情報が生成され、前記報知が行われた場合の前記表示手段の表示内容は、前記第２実行情報が生成され、前記報知が行われた場合の前記表示手段の表示内容と異なる一方、
Ｋ　前記第１実行情報が生成された場合の前記報知、及び、前記第２実行情報が生成された場合の前記報知の何れにおいても、遊技盤の右方領域への遊技球の発射が促され、
Ｌ　前記第１実行情報が生成された場合の前記報知と、前記第２実行情報が生成された場合の前記報知と、の報知態様は同一であり、
Ｍ　前記第２実行情報が生成された場合に前記報知が行われる前記表示手段の表示領域は、前記第１実行情報が生成された場合に前記報知が行われる前記表示手段の表示領域に比して、広いことを特徴とする遊技機。」
　
　（２）刊行物
　　　ア　刊行物１
　原査定の拒絶の理由に引用された、本件の出願前に頒布された刊行物である特開２０１２−３４８９３号公報（以下「刊行物１」という。）には、遊技機に関して、図面と共に以下の事項が記載されている（下線は審決にて付した。以下同じ。）。
　
　・記載事項
　　　（ア）「【技術分野】
【０００１】
　本発明は、
パチンコ機
　
　　　（イ）「【発明が解決しようとする課題】
・・・
【０００７】
　本発明は上記事情に鑑みてなされたものであり、
電源復帰時に遊技者が適切な発射操作を行うことができ、通常得られるべき利益を確実に獲得することが可能な弾球遊技機を提供する
　
　　　（ウ）「【００１５】
　センターケース１６は、例えば遊技盤５の裏側に固定される
液晶式等の画像表示手段２１
　
　　　（エ）「【００２２】
　第１，第２特別図柄表示手段３２ａ，３２ｂは、夫々１個又は複数個、例えば各１個の特別図柄を変動表示可能な７セグメント式等の表示手段により構成されており、第１特別図柄表示手段３２ａは第１特別図柄始動手段１８ａが遊技球を検出することを条件に、また第２特別図柄表示手段３２ｂは第２特別図柄始動手段１８ｂが遊技球を検出することを条件に、夫々第１，第２特別図柄を所定時間変動表示して、それら第１，第２特別図柄始動手段１８ａ，１８ｂへの入賞時に取得された大当たり判定乱数値が予め定められた大当たり判定値と一致する場合には所定の大当たり態様で、それ以外の場合には外れ態様で夫々停止するようになっている。」
　
　　　（オ）「【００３１】
　発射誘導情報表示手段３９は、左流下経路（非特定流下経路）２４ａを狙って発射する「左打ち」の方が遊技者に有利な左打ち期間（非特定期間）であるか、右流下経路（特定流下経路）２４ｂを狙って発射する「右打ち」の方が遊技者に有利な右打ち期間（特定期間）であるかに関する発射誘導情報を表示するもので、左打ち期間中には「←左へ」等の左打ち誘導情報を、右打ち期間中には「右へ→」等の右打ち誘導情報を画像表示手段２１上に表示するように構成されており、遊技状態が変化した場合等に所定期間作動するようになっている。
【００３２】
　
大入賞手段１９は、
センターケース１６の右側の右流下経路（特定流下経路）２４ｂ上
に配置されており、
【００３３】
　図２は本パチンコ機の制御系のブロック図である。図２において、５１は主制御基板、５２は演出制御基板で、これら各制御基板５１，５２は、
遊技盤５に装着されたセンターケース１６
【００３４】
　
主制御基板５１は、主に
遊技動作に関わる制御を行うためのもの
制御コマンド送信手段７８
を備えている。
　
　　　（カ）「【００４１】
　第１，第２特別始動口チェック処理手段７２ａ，７２ｂは、第１，第２特別図柄始動手段１８ａ，１８ｂへの遊技球の入賞に基づく処理を行うもので、
第１，第２特別図柄始動手段１８ａ，１８ｂに遊技球が入賞し、第１，第２特別図柄始動手段１８ａ，１８ｂがその入賞球を検出することに基づいて、
【００４２】
　第１，第２特別図柄処理手段７４ａ，７４ｂは、第１，第２特別図柄の変動表示に関する処理を行うもので、第１，第２特別図柄表示手段３２ａ，３２ｂが変動表示可能な状態となり且つ第１，第２特別乱数記憶手段７３ａ，７３ｂに１個以上の大当たり判定乱数値が記憶されていること（第１，第２特別保留個数が１以上であること）を条件に、第１，第２特別乱数記憶手段７３ａ，７３ｂに最も早く記憶された大当たり判定乱数値を取り出し、その大当たり判定乱数値が予め定められた大当たり判定値と一致するか否かに応じて
大当たり／外れの判定を行う大当たり判定機能
・・・
【００４５】
　
大当たり状態発生手段７５は、
大当たり／外れの判定結果が大当たり判定となり
大入賞手段１９を所定の開放パターンに従って開放する大当たり状態を発生させるように構成されている。
　
　　　（キ）「【００５３】
　
制御コマンド送信手段７８は、所定の制御コマンドを
演出制御基板５２等のサブ制御基板側に送信して制御指令を与える
遊技状態コマンド
【００５４】
　ここで、
遊技状態コマンドには、停電後などの電源復帰時に送信される後述の電源復帰時状態コマンドと、通常の遊技状態の移行時に送信される通常時状態コマンドとの２種類が設けられている
通常時状態コマンドには、
１５Ｒ大当たり状態の開始時に送信される１５Ｒ大当たり開始コマンド
が設けられている。
【００５５】
　以上のように構成される主制御基板７１にはバックアップ電源７９が接続されており、営業終了時や
停電
によって主電源が遮断された後も、
遊技制御情報を含むＲＡＭ上のデータ（バックアップデータ）は電源遮断後も保持される
【００５６】
　また
電源投入時に
主制御基板７１上で、
メイン処理が開始される
【００５７】
　この
メイン処理（図６）が開始されると、
【００５８】
　電源復帰時のようにＲＡＭクリア信号がＯＦＦの場合には（Ｓ２：Ｎｏ）、ＲＡＭに記憶されているバックアップデータが有効か否かが判定される（Ｓ３）。このバックアップデータが有効か否かの判定は、例えば電源が遮断される直前にバックアップデータと共にＲＡＭに保存された誤り検出符号に基づいて、ＲＡＭに保存されているデータが電源遮断時のデータと異なっているか否かを判断することにより行われる。
【００５９】
　バックアップデータが有効であると判定された場合には（Ｓ３：Ｙｅｓ）、演出制御基板５２等のサブ制御基板に対してバックアップ復帰コマンドが送信される（Ｓ４）と共に、
遊技復旧処理（Ｓ５）が行われ、ＲＡＭに記憶されているバックアップデータに基づいて電源遮断前の状態から遊技が再開される
【００６０】
　この
電源復帰時状態コマンドには、
１５Ｒ大当たり状態中を示す１５Ｒ大当たり状態中コマンド
が設けられている
　
　　　（ク）「【００６５】
　
発射誘導情報制御手段８５は、発射誘導情報の出力制御を行う
発射誘導情報制御手段８５による発射誘導情報制御処理
では、
【００６６】
　この発射誘導情報出力開始処理（図８）では、受信した遊技状態コマンドの種類が判定され（Ｓ２１）、受信した遊技状態コマンドが通常時状態コマンドであれば図９に示す通常時開始処理が実行され（Ｓ２２）、電源復帰時状態コマンドであれば図１０に示す電源復帰時開始処理が実行される（Ｓ２３）。
【００６７】
　Ｓ２１において遊技状態コマンドが通常時状態コマンドであると判定された場合に実行される通常時開始処理（図９）では、まず受信した通常時状態コマンドの種類が判定される（Ｓ３１〜Ｓ３４）。そして、
受信した通常時状態コマンドが１５Ｒ大当たり開始コマンドであれば（Ｓ３１：Ｙｅｓ）、
右打ち誘導情報（発射誘導情報）の出力が開始され（Ｓ３５）、
【００６８】
　本実施形態では、通常時状態コマンドを受信した場合の
発射誘導情報の出力を、発射誘導情報表示手段３９、即ち画像表示手段２１の表示画面２１ａによる画像出力
により行う
Ｓ３５においては、
発射誘導情報表示手段３９に「右へ→」等の右打ち誘導画像が表示される
　
　　　（ケ）「【００７８】
　一方、
受信した電源復帰時状態コマンドが
１５Ｒ大当たり状態中コマンド
であれば（Ｓ４１：Ｎｏ）、右打ち誘導情報（発射誘導情報）の出力が開始され（Ｓ４４）
【００７９】
　上述したように、本実施形態では、電源復帰時状態コマンドを受信した場合の
発射誘導情報
発射誘導情報表示手段３９に「右へ→」等の右打ち誘導画像が表示される。
　
　・認定事項
　　　（コ）上記【００５３】の記載事項、及び、「パチンコ機の遊技状態とそれに対応する発射誘導情報の種類、遊技者に有利な発射位置、遊技状態コマンドの送信タイミングの対応関係の一例を示す」図である【図１３】の図示内容に基づくと、刊行物１には、制御コマンド送信手段７８が、ファンファーレの終了後に、１５Ｒ大当たり開始コマンドを演出制御基板５２等のサブ制御基板側に送信して制御指令を与えることが示されていると認める。
　
　
　上記（ア）〜（ケ）の記載事項、上記（コ）の認定事項、及び、図面の図示内容を総合すると、刊行物１には次の発明（以下「刊行物発明」という。）が記載されていると認められる（ａ〜ｌは、本件補正発明のＡ〜Ｌに対応させて付与した。）。
「ａ　第１，第２特別図柄始動手段１８ａ，１８ｂに遊技球が入賞し、入賞球が検出されることに基づいて、大当たり／外れの判定を行う大当たり判定機能（【００４１】、【００４２】）と、
　
ｂ　大当たり／外れの判定結果が大当たり判定となることにより、遊技盤５に装着されたセンターケース１６の右側の右流下経路（特定流下経路）２４ｂ上に配置されている大入賞手段１９を、所定の開放パターンに従って開放する大当たり状態を発生させる大当たり状態発生手段７５（【００３２】、【００３３】、【００４５】）と、
　
ｃ　停電によって主電源が遮断された後も、遊技制御情報を含むデータ（バックアップデータ）を保持するＲＡＭ（【００５５】）と、
　
ｄ　電源投入時にＲＡＭに記憶されているバックアップデータに基づいて電源遮断前の状態から遊技が再開される遊技復旧処理（Ｓ５）を行う主制御基板７１（【００５６】、【００５７】、【００５９】）とを備え、
　
ｅ　主制御基板５１は、遊技状態コマンドを含む、所定の制御コマンドを演出制御基板５２等のサブ制御基板側に送信して制御指令を与える、制御コマンド送信手段７８を備え、主に遊技動作に関わる制御を行い（【００３４】、【００５３】）と、
　
ｆ〜ｇ　発射誘導情報の出力制御を、発射誘導情報表示手段３９、即ち画像表示手段２１の表示画面２１ａによる画像出力により行う発射誘導情報制御手段８５（【００６５】、【００６８】）と、
　
ｈ　遊技状態コマンドに、通常の遊技状態の移行時に送信される１５Ｒ大当たり開始コマンドと、停電後などの電源復帰時に送信される、１５Ｒ大当たり状態中を示す１５Ｒ大当たり状態中コマンドとが含まれ（【００５４】、【００６０】）、
　
ｉ　制御コマンド送信手段７８は、ファンファーレの終了後に、１５Ｒ大当たり開始コマンドを送信し、停電後などの電源復帰時に、１５Ｒ大当たり状態中を示す１５Ｒ大当たり状態中コマンドを送信し（【００５３】、【００５４】、【００６０】、認定事項コ）、
　
ｊ〜ｌ　発射誘導情報制御手段８５による発射誘導情報制御処理では、
　受信した通常時状態コマンドが１５Ｒ大当たり開始コマンドであれば（Ｓ３１：Ｙｅｓ）、画像表示手段２１の表示画面２１ａに「右へ→」等を表示する、右打ち誘導情報（発射誘導情報）の出力が開始され（Ｓ３５）、
　受信した電源復帰時状態コマンドが１５Ｒ大当たり状態中コマンドであれば（Ｓ４１：Ｎｏ）、発射誘導情報表示手段３９である画像表示手段２１の表示画面２１ａに「右へ→」等を表示する、右打ち誘導情報（発射誘導情報）の出力が開始され（Ｓ４４）（【００６７】、【００６８】、【００７８】、【００７９】）る
　パチンコ機（【０００１】）。」
　
　　　イ　刊行物２
　同じく、原査定の拒絶の理由に引用された、本件の出願前に頒布された刊行物である特開２００２−１４３５２３号公報（以下「刊行物２」という。）には、遊技機に関して、図面と共に以下の事項が記載されている（下線は審決にて付した。以下同じ。）。
　
　・記載事項
　　　（ア）「【発明の詳細な説明】
【０００１】
【発明の属する技術分野】本発明は、電源の遮断に際して遊技情報を記憶保持可能な遊技制御装置を備えた
遊技機
　
　　　（イ）「【０００５】
【発明が解決しようとする課題】
・・・
【００１２】本発明の他の目的は、
停電が発生した時の遊技状態に応じて、停電復旧時の表示を適切に行い遊技機に対する信頼性を向上させる
　
　　　（ウ）「【００７６】図７（ｃ）では、
大当りを発生する図柄で停止したときに停電が発生し、復旧した図柄を指定するコマンドｘ１〜ｘ３に基づいて例えば「３，３，３」の当たり図柄を
大きく停止表示すると共に、復旧画面を指定するコマンドＸに基づいて「停電復旧しました。遊技再開しています。画面復旧はしばらくお待ちください。」とのメッセージを表示し
　
　　　（エ）「【００８２】また、
大当たり遊技中に停電した場合にも同様の復旧画面表示を行う。
「３，３，３」のような同一図柄を表示する。
　
【図７】
　
　
　・認定事項
　　　（オ）上記【００７６】、【００８２】の記載事項、及び、復旧画面の表示例を示す説明図である【図７】（ｃ）の図示内容に基づくと、刊行物２には、
停電復旧時に「停電復旧しました。遊技再開しています。画面復旧はしばらくお待ちください。」とのメッセージと、例えば「３，３，３」の当たり図柄とをほぼ全画面領域に亘って表示する
　
　上記（ア）〜（エ）の記載事項、上記（オ）の認定事項、及び、図面の図示内容を総合すると、刊行物２には次の技術事項（以下「刊行物２記載の技術事項」という。）が記載されていると認められる。
「大当たり遊技中に停電が発生し、停電が復旧した場合、ほぼ全画面領域に亘って、
　復旧画面を指定するコマンドＸに基づいて「停電復旧しました。遊技再開しています。画面復旧はしばらくお待ちください。」とのメッセージを表示すると共に、
　復旧した図柄を指定するコマンドｘ１〜ｘ３に基づいて例えば「３，３，３」の当たり図柄を大きく停止表示する
遊技機。」
　
　（３）対比
　本件補正発明と刊行物発明とを、分説に従い対比する。
　　（ａ）刊行物発明における「第１，第２特別図柄始動手段１８ａ，１８ｂに遊技球が入賞し、入賞球が検出される」ことは、本件補正発明における「始動口へ入球した」ことに相当する。
　そして、刊行物発明における「大当たり／外れの判定を行う」ことは、本件補正発明における「当り抽選」に相当する。
　したがって、刊行物発明における「大当たり判定機能」は、本件補正発明における「当り抽選手段」が奏する機能に相当する。
　
　　（ｂ）刊行物発明における「大当たり／外れの判定結果が大当たり判定となることにより」「発生」する「大当たり状態」は、本件補正発明における「当り抽選に当選した場合に生起される当り遊技」に相当する。
　そして、刊行物発明における「遊技盤５に装着されたセンターケース１６の右側の右流下経路（特定流下経路）２４ｂ上に配置されている大入賞手段１９を、所定の開放パターンに従って開放する」ことは、「開放パターン」が、少なくとも、開放、閉鎖を行うものであることは明らかであるから、本件補正発明における「遊技盤の右方領域に配置された特別入賞手段の開放及び閉鎖を制御する」に相当する。
　したがって、刊行物発明における「大当たり状態発生手段７５」は、本件補正発明における「開閉制御手段」に相当する。
　
　　（ｃ）刊行物発明における「停電によって主電源が遮断された後も、遊技制御情報を含むデータ（バックアップデータ）を保持する」ことは、本件補正発明における「遊技機への電源供給の遮断時における遊技状態を記憶保持可能な」ことに相当する。
　したがって、刊行物発明における「ＲＡＭ」は、本件補正発明における「記憶保持手段」に相当する。
　
　　（ｄ）刊行物発明における「電源投入時」は、本件補正発明における「遊技機への電源供給が再開されたこと」に相当する。
　そして、刊行物発明における「ＲＡＭに記憶されているバックアップデータに基づいて電源遮断前の状態から遊技が再開される」ことは、本件補正発明における「（遊技機への電源供給の遮断時における遊技状態を記憶保持可能な）記憶保持手段に記憶保持されている遊技状態に復帰させる」ことに相当する。
　
　　（ｅ）刊行物発明における「遊技状態コマンドを含む、所定の制御コマンド」は、本件補正発明における「実行情報」に相当する。
　そして、刊行物発明において、「主制御基板５１」は、「主に遊技動作に関わる制御を行う」ものであって、「所定の制御コマンドを演出制御基板５２等のサブ制御基板側に送信して制御指令を与える、制御コマンド送信手段７８を備え」ることからみて、「所定の制御コマンド」は、「主制御基板５１」において生成されていることは明らかである。
　したがって、刊行物発明における「主制御基板５１」は、本件補正発明における「実行情報を生成する実行情報生成手段」に相当する。
　
　　（ｆ）刊行物発明における「発射誘導情報の出力制御を」「画像表示手段２１の表示画面２１ａによる画像出力により行う」ことは、本件補正発明における「遊技球の発射に関する報知を制御する」ことに相当する。
　したがって、刊行物発明におけるｆ〜ｇの「発射誘導情報制御手段８５」は、本件補正発明における「報知制御手段」に相当する。
　
　　（ｇ）刊行物発明における構成ｆ〜ｇの「表示画面２１ａに」「画像」を表示する「画像表示手段２１」は、本件補正発明における構成Ｇの「画像を表示する表示手段」に相当する。
　
　　（ｈ）刊行物発明における「遊技状態コマンド」は、構成ｅより「所定の制御コマンド」に含まれるものである。
　そして、刊行物発明において、「通常の遊技状態の移行時に送信される１５Ｒ大当たり開始コマンド」と「停電後などの電源復帰時に送信される１５Ｒ大当たり状態中コマンド」とは、異なるコマンドであることから、刊行物発明における「１５Ｒ大当たり開始コマンド」、「１５Ｒ大当たり状態中を示す１５Ｒ大当たり状態中コマンド」は、それぞれ、本件補正発明における「第１実行情報」、「第１実行情報とは異なる第２実行情報」に相当する。
　したがって、刊行物発明における構成ｈは、本件補正発明における構成Ｈに相当する。
　
　　（ｉ）上記ｅより、刊行物発明における「主制御基板５１」は、本件補正発明における「実行情報生成手段」に相当するものである。
　
　ここで、本件補正発明における「当り遊技」は、本願明細書の【０１４１】に「主制御用ＣＰＵ３０ａは、実質８Ｒ大当り遊技又はＳＵ大当り遊技を付与するときは、
オープニングコマンドが出力される時と同時期、すなわち、大当り遊技開始時と同時期
　そうすると、刊行物発明における「ファンファーレ」の開始後は、本件補正発明における「当り遊技の生起中」に相当する。
　したがって、刊行物発明において、「ファンファーレの終了後」は、本願明細書に記載された「オープニングコマンドが出力され」た後に対応することは明らかであるから、本件補正発明における「当り遊技の生起中である場合」に相当する。
　ゆえに、刊行物発明における「ファンファーレの終了後に、１５Ｒ大当たり開始コマンドを送信」することは、本件補正発明における「当り遊技の生起中である場合には第１実行情報を生成する」ことに相当する。
　
　そして、刊行物発明における「停電後などの電源復帰時に、１５Ｒ大当たり状態中」であることは、本件補正発明における「復帰手段により復帰されたときが当り遊技の生起中である場合」に相当する。
　したがって、刊行物発明における「停電後などの電源復帰時に、１５Ｒ大当たり状態中を示す１５Ｒ大当たり状態中コマンドを送信」することは、本件補正発明における「復帰手段により復帰されたときが当り遊技の生起中である場合には第２実行情報を生成」することに相当する。
　
　よって、刊行物発明における構成ｉは、本件補正発明における構成Ｉに相当する。
　
　　（ｊ）刊行物発明は、「受信した通常時状態コマンドが１５Ｒ大当たり開始コマンド」である場合も、「受信した電源復帰時状態コマンドが１５Ｒ大当たり状態中コマンド」である場合も、共に、「発射誘導情報表示手段３９である画像表示手段２１の表示画面２１ａに「右へ→」等を表示する」ものである。
　ここで、刊行物発明における「画像表示手段２１の表示画面２１ａ」は、本件補正発明における「表示手段」に相当する。
　したがって、刊行物発明における構成ｊ〜ｌの「受信した通常時状態コマンドが１５Ｒ大当たり開始コマンドであれば（Ｓ３１：Ｙｅｓ）、画像表示手段２１の表示画面２１ａに「右へ→」等を表示」し、「受信した電源復帰時状態コマンドが１５Ｒ大当たり状態中コマンドであれば（Ｓ４１：Ｎｏ）、発射誘導情報表示手段３９である画像表示手段２１の表示画面２１ａに「右へ→」等を表示する」ことと、本件補正発明における構成Ｊとは、「第１実行情報が生成され、報知が行われた場合、及び、第２実行情報が生成され、報知が行われた場合に、表示手段に所定の表示内容を表示する」点で共通する。
　
　　（ｋ〜ｌ）刊行物発明は、構成ｊ〜ｌの「発射誘導情報表示手段３９である画像表示手段２１の表示画面２１ａに「右へ→」等を表示する」ことにより、遊技者が、構成ｂの「遊技盤５に装着されたセンターケース１６の右側の右流下経路（特定流下経路）２４ｂ上」に、遊技球を右打ち発射することを誘導するものである。
　ここで、刊行物発明における「画像表示手段２１の表示画面２１ａに「右へ→」等を表示する」報知態様は、「画像表示手段２１の表示画面２１ａ」を用いた態様であるといえる。
　したがって、刊行物発明における構成ｊ〜ｌの「受信した通常時状態コマンドが１５Ｒ大当たり開始コマンドであれば（Ｓ３１：Ｙｅｓ）、発射誘導情報表示手段３９である画像表示手段２１の表示画面２１ａに「右へ→」等を表示」し、「受信した電源復帰時状態コマンドが１５Ｒ大当たり状態中コマンドであれば（Ｓ４１：Ｎｏ）、発射誘導情報表示手段３９である画像表示手段２１の表示画面２１ａに「右へ→」等を表示する」ことは、本件補正発明における構成Ｋの「第１実行情報が生成された場合の報知、及び、第２実行情報が生成された場合の報知の何れにおいても、遊技盤の右方領域への遊技球の発射が促され」ることに相当し、また、構成Ｌの「第１実行情報が生成された場合の報知と、第２実行情報が生成された場合の報知と、の報知態様は同一であ」ることに相当する。
　
　よって、上記（ａ）〜（ｋ〜ｌ）によれば、本件補正発明と刊行物発明は、
「Ａ　始動口へ入球したことを契機に当り抽選を行う当り抽選手段と、
Ｂ　前記当り抽選に当選した場合に生起される当り遊技において、遊技盤の右方領域に配置された特別入賞手段の開放及び閉鎖を制御する開閉制御手段と、
Ｃ　遊技機への電源供給の遮断時における遊技状態を記憶保持可能な記憶保持手段と、
Ｄ　遊技機への電源供給が再開されたことに伴い、前記記憶保持手段に記憶保持されている遊技状態に復帰させる復帰手段と、
Ｅ　実行情報を生成する実行情報生成手段と、
Ｆ　遊技球の発射に関する報知を制御する報知制御手段と、
Ｇ　画像を表示する表示手段と、を備え、
Ｈ　前記実行情報には、第１実行情報と、前記第１実行情報とは異なる第２実行情報と、があり、
Ｉ　前記実行情報生成手段は、前記当り遊技の生起中である場合には前記第１実行情報を生成する一方、前記復帰手段により復帰されたときが前記当り遊技の生起中である場合には前記第２実行情報を生成し、
Ｊ’前記第１実行情報が生成され、前記報知が行われた場合、及び、前記第２実行情報が生成され、前記報知が行われた場合に、前記表示手段に所定の表示内容を表示する一方、
Ｋ　前記第１実行情報が生成された場合の前記報知、及び、前記第２実行情報が生成された場合の前記報知の何れにおいても、遊技盤の右方領域への遊技球の発射が促され、
Ｌ　前記第１実行情報が生成された場合の前記報知と、前記第２実行情報が生成された場合の前記報知と、の報知態様は同一である遊技機。」の点で一致し、次の点で相違する。
　
［相違点１］（構成Ｊ）
　本件補正発明は、第１実行情報が生成され、報知が行われた場合の表示手段の表示内容は、第２実行情報が生成され、報知が行われた場合の表示手段の表示内容と異なるのに対して、刊行物発明はそのような構成を備えるか否か不明である点。
　
［相違点２］（構成Ｍ）
　本件補正発明は、第２実行情報が生成された場合に報知が行われる表示手段の表示領域は、第１実行情報が生成された場合に報知が行われる表示手段の表示領域に比して、広いのに対して、刊行物発明はそのような構成を備えるか否か不明である点。
　
　（４）判断
　上記相違点１、２は、可動役物動作演出に関する点で共通するのでまとめて検討する。
　本件補正発明における構成Ｊの「表示内容」について、特許請求の範囲に、その具体的に内容について特定するものではないが、構成Ｊの「表示内容」には、イ：表示対象の内容自体や、ロ：表示対象自体のサイズ等が含まれるものと解される。
　
　そして、刊行物発明の構成ｊ〜ｌにおいて、「画像表示手段２１の表示画面２１ａに「右へ→」等を表示する」のは、電源復帰後を含め、遊技状態が「１５Ｒ大当たり」状態中であることを示すためである。
　一方、刊行物２記載の技術事項において、「「３，３，３」の当たり図柄」は、停電復旧後の遊技状態が「当たり」状態であることを示唆するものである。
　したがって、刊行物発明における「画像表示手段２１の表示画面２１ａに「右へ→」等を表示する」ことと、刊行物２記載の技術事項における「「３，３，３」の当たり図柄を大きく停止表示」することとは、電源復帰後の遊技状態が大当たり状態中であることを示唆する内容の表示を行う点で共通する。
　また、刊行物発明は、「電源復帰時に遊技者が適切な発射操作を行うことができ、通常得られるべき利益を確実に獲得することが可能な弾球遊技機を提供する」こと（【０００７】）を目的とするものである。
　一方、刊行物２記載の技術事項は、「停電が発生した時の遊技状態に応じて、停電復旧時の表示を適切に行い遊技機に対する信頼性を向上させる」こと（【００１２】）を目的とするものである。
　したがって、刊行物発明と、刊行物２記載の技術事項とは、電源復帰時に遊技者に適切な表示を行い、遊技者の遊技機に対する信頼性を向上させるという共通の課題を解決するものである。
　ゆえに、刊行物発明に刊行物２記載の技術事項を適用する動機付けは十分ある。
　ところで、刊行物２記載の技術事項は、停電復旧時にほぼ全画面領域に亘って、遊技状態が「当たり」状態であることを示唆する情報（「３，３，３」の当たり図柄）を表示することに加え、「停電復旧しました。遊技再開しています。画面復旧はしばらくお待ちください。」とのメッセージを表示すると共に、遊技状態が「当たり」状態であることを示唆する情報（「３，３，３」の当たり図柄）を大きく停止表示させるものである。
　
　　　イ　本件補正発明における構成Ｊの「表示内容」を、上記「イ：表示対象の内容自体」と解した場合
　刊行物発明に刊行物２記載の技術事項を適用して、電源復帰時に「画像表示手段２１の表示画面２１ａに「右へ→」等を表示する」ことに加え、「停電復旧しました。遊技再開しています。画面復旧はしばらくお待ちください。」等のメッセージを表示し、「通常時状態コマンド」として「１５Ｒ大当たり開始コマンド」を受信した場合と、「電源復帰時状態コマンド」として「１５Ｒ大当たり状態中コマンド」を受信した場合とで、「画像表示手段２１の表示画面２１ａ」における表示内容を異ならせると共に、電源復帰時に、画像表示手段２１の表示画面２１ａに「右へ→」等を大きく表示するために、表示領域を広くし、上記相違点１〜２に係る本件補正発明の構成Ｊ、Ｍとすることは当業者が容易になし得たものである。
　
　　　ロ　本件補正発明における構成Ｊの「表示内容」を、上記「ロ：表示対象自体のサイズ」と解した場合
　刊行物発明に刊行物２記載の技術事項を適用して、電源復帰時に「画像表示手段２１の表示画面２１ａ」に、遊技状態が「当たり」状態であることを示唆する情報である「右へ→」等を大きく表示し、表示するサイズを、「通常時状態コマンド」として「１５Ｒ大当たり開始コマンド」を受信した場合に比べて大きくすることにより、両者の表示内容を異ならせると共に、電源復帰時に「右へ→」等を大きく表示するために、表示領域を広くし、上記相違点１〜２に係る本件補正発明の構成Ｊ、Ｍとすることは当業者が容易になし得たものである。
　
　（５）請求人の主張について
　請求人は、平成２９年１１月２７日付けの審判請求書において、「引用文献１の図１４（ａ）及び図１４（ｂ）によれば、右打ち誘導画像が表示される表示位置が異なることは理解できるが、右打ち誘導画像の大きさや右打ち誘導画像が表示される表示領域が異なることについては何ら開示及び示唆されていない。また、そもそも引用文献１の図１４（ａ）に示されている右打ち誘導画像の表示は、大当り遊技中という状況での右打ち誘導画像の表示であって、引用文献１の図１４（ｂ）に示されている右打ち誘導画像の表示は、時短状態中などという状況での右打ち誘導画像の表示である。つまり、引用文献１には、右打ち誘導画像が表示される表示領域の大きさを異なること、及び、電源復帰時において右打ち誘導画像が表示される表示領域を通常時において右打ち誘導画像が表示される表示領域よりも広くすること、については何ら開示及び示唆されていない。すなわち、引用文献１には、本願発明１の特徴的な構成について何ら開示及び示唆されていない。
　引用文献２には、本願発明１でいう「遊技盤の右方領域への遊技球の発射を促す」報知を行うことについては記載されておらず、本願発明１の特徴的な構成については何ら開示及び示唆されていない。」（（４）本願発明と引用文献との対比）と主張する。
　
　そこで、請求人の上記主張について検討する。
　請求人が主張する「右打ち誘導画像の大きさや右打ち誘導画像が表示される表示領域が異なること」、すなわち、本願発明の構成Ｊ、Ｍは、それぞれ、相違点１、２として認定した。
　ここで、審決にて、刊行物２記載の技術事項として、「復旧した図柄を指定するコマンドｘ１〜ｘ３に基づいて例えば「３，３，３」の当たり図柄を大きく停止表示する」ことを認定したのは、停電復旧時において、当たり図柄を大きく停止表示させることを認定したにすぎない。
　そして、相違点１、２については、上記（４）ロにおいて検討したように、刊行物発明に刊行物２記載の技術事項を適用して、電源復帰時に「画像表示手段２１の表示画面２１ａ」に、遊技状態が「当たり」状態であることを示唆する情報である「右へ→」等を大きく表示し、表示するサイズを、「通常時状態コマンド」として「１５Ｒ大当たり開始コマンド」を受信した場合に比べて大きくすることにより、両者の表示内容を異ならせると共に、電源復帰時に「右へ→」等を大きく表示するために、表示領域を広くし、上記相違点１〜２に係る本件補正発明の構成とすることは当業者が容易になし得たものである。
　さらに、刊行物２記載の技術事項を、電源復帰時に「右へ→」等を表示することに加え、復旧メッセージを表示するものとして捉えた場合、上記（４）イにおいて検討したように、刊行物発明に刊行物２記載の技術事項を適用することにより、上記相違点１〜２に係る本件補正発明の構成とすることは当業者が容易になし得たものである。
　
　したがって、請求人の上記主張を採用することはできない。
　
　（６）小括
　本件補正発明により奏される効果は、当業者が、刊行物発明、及び、刊行物２記載の技術事項から予測し得る効果の範囲内のものであって、格別のものではない。
　よって、本件補正発明は、刊行物発明、及び、刊行物２記載の技術事項に基いて当業者が容易に発明をすることができたものであるから、特許法第２９条第２項の規定により、特許出願の際に独立して特許を受けることができないものである。
　
　４　まとめ
　上記１〜３より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、平成２９年４月２６日付け手続補正書の請求項１に係る発明（以下「本願発明」という。）は、次のとおりのものと認める。
Ａ　始動口へ入球したことを契機に当り抽選を行う当り抽選手段と、
Ｂ　前記当り抽選に当選した場合に生起される当り遊技において、遊技盤の右方領域に配置された特別入賞手段の開放及び閉鎖を制御する開閉制御手段と、
Ｃ　遊技機への電源供給の遮断時における遊技状態を記憶保持可能な記憶保持手段と、
Ｄ　遊技機への電源供給が再開されたことに伴い、前記記憶保持手段に記憶保持されている遊技状態に復帰させる復帰手段と、
Ｅ　実行情報を生成する実行情報生成手段と、
Ｆ　遊技球の発射に関する報知を制御する報知制御手段と、
Ｇ　画像を表示する表示手段と、を備え、
Ｈ　前記実行情報には、第１実行情報と、前記第１実行情報とは異なる第２実行情報と、があり、
Ｉ　前記実行情報生成手段は、前記当り遊技の生起中である場合には前記第１実行情報を生成する一方、前記復帰手段により復帰されたときが前記当り遊技の生起中である場合には前記第２実行情報を生成し、
Ｊ　前記第１実行情報が生成され、前記報知が行われたときの前記表示手段の表示内容は、前記第２実行情報が生成され、前記報知が行われたときの前記表示手段の表示内容と異なる一方、
Ｋ　前記第１実行情報が生成された場合の前記報知、及び、前記第２実行情報が生成された場合の前記報知の何れにおいても、遊技盤の右方領域への遊技球の発射が促されることを
特徴とする遊技機。」
　
　２　原査定の拒絶の理由の概要
（１）（進歩性）この出願の請求項１に係る発明は、その出願前に日本国内において、頒布された下記の刊行物１、あるいは、２に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　　　＜引用文献等一覧＞
　１．特開２０１２−３４８９３号公報
　２．特開２００２−１４３５２３号公報
　
　３　引用文献に記載された事項
　原査定の拒絶の理由に引用された引用文献１（前記「第２　３（２）ア」における「刊行物１」に対応する。）の記載事項及び引用発明の認定、及び、同じく、原査定の拒絶の理由に引用された引用文献２（前記「第２　３（２）」イにおける「刊行物２」に対応する。）の記載事項及び刊行物２記載の技術事項の認定については、前記「第２　３（２）刊行物」に記載したとおりである。
　
　４　対比・判断
　本願発明は、前記「第２　３（１）」で検討した本件補正発明の「第１実行情報が生成された場合の報知」、「第２実行情報が生成された場合の報知」に関して、「
前記第１実行情報が生成された場合の前記報知と、前記第２実行情報が生成された場合の前記報知と、の報知態様は同一であ
前記第２実行情報が生成された場合に前記報知が行われる前記表示手段の表示領域は、前記第１実行情報が生成された場合に前記報知が行われる前記表示手段の表示領域に比して、広い
　そうすると、本願発明と刊行物発明とは、本件補正発明と同様に、上記相違点１（構成Ｊ）において、相違し、その余の点において一致する。
　そして、上記相違点１については、上記第２の３「（４）判断」において検討したとおり、刊行物発明に刊行物２記載の技術事項を適用して当業者が容易になし得たものである。
　したがって、本願発明は、原査定で引用した刊行物発明、及び、刊行物２記載の技術事項に基づいて当業者が容易に発明できたものである。
 　 
　４　むすび
　上記１〜３より、本願発明は、特許法第２９条第２項の規定に基づいて特許を受けることができないものである。
　したがって、本願は拒絶すべきである。
　
　よって、結論のとおり審決する。